【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
干渉除去のための方法であって、
送信信号を受信するために受信機を使用することと、
係数の第１のセットを使用して第１のコスト関数値を計算することと、
第１の係数制御アルゴリズムを使用して係数の第２のセットを計算することと、
係数の前記第２のセットを使用して第２のコスト関数値を計算することと、
比較結果を与えるために前記第１のコスト関数値と前記第２のコスト関数値を比較することと、
前記干渉除去のために係数の前記第１のセットを適用するか前記第２のセットを適用するかを決定するために前記比較結果を使用することと、
基準信号をフィルタ処理するために係数の前記第２のセットまたは前記第１のセットのうちの１つを適用し、前記干渉除去のために前記受信された送信信号から前記フィルタ処理された基準信号を差し引くことと、
を備える、方法。
【請求項２】
前記第１の係数制御アルゴリズムは、以下の、電圧走査アルゴリズム、確率近似アルゴリズム、または簡略化された確率近似アルゴリズムうちの１つである、請求項１に記載の方法。
【請求項３】
所定の条件が、使用のために前記第１の係数制御アルゴリズムをイネーブルする、請求項１に記載の方法。
【請求項４】
前記所定の条件は、受信信号強度指示（ＲＳＳＩ）しきい値より大きいＲＳＳＩであり、ここにおいて前記ＲＳＳＩは、前記第１のコスト関数値に関連付けされる、請求項３に記載の方法。
【請求項５】
前記第２のコスト関数値が前記第１のコスト関数値より小さいことを前記比較結果が示す場合、前記干渉除去のために係数の前記第２のセットを適用することをさらに備える、請求項１に記載の方法。
【請求項６】
前記第２のコスト関数値が前記第１のコスト関数値より小さいことを前記比較結果が与える場合、第２の係数制御アルゴリズムを使用して係数の前記第２のセットに基づいて係数の第３のセットを計算することをさらに備える、請求項１に記載の方法。
【請求項７】
係数の前記第３のセットを使用して第３のコスト関数値を計算することと、
アップデートされた比較結果を与えるために前記第２のコスト関数値と前記第３のコスト関数値を比較することと、
前記干渉除去のために係数の前記第３のセットを適用するかどうかを決定するために前記アップデートされた比較結果を使用することと、
をさらに備える、請求項６に記載の方法。
【請求項８】
前記第２の係数制御アルゴリズムは、前記第１の係数制御アルゴリズムと同じであり、ここにおいて前記第１の係数制御アルゴリズムは、電圧走査アルゴリズム、確率近似アルゴリズム、または簡略化された確率近似アルゴリズムのうちの１つである、請求項６に記載の方法。
【請求項９】
前記第２の係数制御アルゴリズムは、前記第１の係数制御アルゴリズムとは異なり、ここにおいて前記第１の係数制御アルゴリズムおよび前記第２の係数制御アルゴリズムは、電圧走査アルゴリズム、確率近似アルゴリズム、または簡略化された確率近似アルゴリズムのうちの２つである、請求項６に記載の方法。
【請求項１０】
前記第２のコスト関数値を前記計算することは、係数の前記適用された第２のセットからもたらされる複数のサンプルのサンプル平均または移動平均に基づく、請求項１に記載の方法。
【請求項１１】
係数の前記第１のセットおよび係数の前記第２のセットは、同相のおよび直交のコンポーネントによって示される、請求項１に記載の方法。
【請求項１２】
前記第１のコスト関数値を前記計算することは、第１の平均平方誤差に基づき、前記第２のコスト関数値を前記計算することは、第２の平均平方誤差に基づく、請求項１に記載の方法。
【請求項１３】
干渉除去のための装置であって、
少なくとも１つのプロセッサと、
係数の第１のセットを記憶するためのメモリであって、前記少なくとも１つのプロセッサに結合されたメモリと、
前記少なくとも１つのプロセッサに結合され、送信信号を受信するための受信機と、
係数の前記第１のセットを使用して第１のコスト関数値を計算するための手段と、
第１の係数制御アルゴリズムを使用して係数の第２のセットを計算するための手段と、
係数の前記第２のセットを使用して第２のコスト関数値を計算するための手段と、
比較結果を与えるために前記第１のコスト関数値と前記第２のコスト関数値を比較するための手段と、
前記干渉除去のために係数の前記第１のセットを適用するか前記第２のセットを適用するかを決定するために前記比較結果を使用するための手段と、
基準信号をフィルタ処理するために係数の前記第２のセットまたは前記第１のセットのうちの１つを適用するための手段と、
を備え、
ここにおいて前記受信機は、前記干渉除去のために前記受信された送信信号から前記フィルタ処理された基準信号を差し引く、装置。
【請求項１４】
所定の条件が、使用のために前記第１の係数制御アルゴリズムをイネーブルし、前記所定の条件は、受信信号強度指示（ＲＳＳＩ）しきい値より大きいＲＳＳＩであり、前記ＲＳＳＩは、前記第１のコスト関数値に関連付けされる、請求項１３に記載の装置。
【請求項１５】
少なくとも１つのプロセッサと、係数の第１のセットを記憶するためのメモリであって、前記少なくとも１つのプロセッサに結合されたメモリと、前記少なくとも１つのプロセッサに結合された受信機であって、ここにおいて前記受信機は送信信号を受信するように構成される、受信機と、を備えるデバイス上で、動作可能である、コンピュータ実行可能コードを記憶するコンピュータ可読記憶媒体であって、前記コンピュータ実行可能コードは、請求項１〜請求項１２のうちのいずれか一項に記載の方法を、前記少なくとも１つのプロセッサに実行させるための命令を備える、コンピュータ可読記憶媒体。
【手続補正２】
【補正対象書類名】明細書
【補正対象項目名】０１０９
【補正方法】変更
【補正の内容】
【０１０９】
[00111]  先の説明は、いかなる当業者にも本書で説明された様々な態様を実施することイネーブルするように、提供される。これらの態様への様々な修正は、当業者に容易に明らかとなり、本書に定義された包括的な原理は、他の態様に適用され得る。かくして、請求項は、本明細書に示される態様に限定されることは意図されておらず、請求項の文言と一貫する全範囲であると認められるべきであり、ここで、単数のエレメントへの参照は、そのように明確に述べられていない限りは「１つおよび１つのみ」を意味することは意図されず、むしろ「１つまたは複数」を意味することが意図される。そうではないと明確に記載されていない限り、用語「何らかの」は、１つまたは複数を意味する。項目のリスト「のうちの少なくとも１つ」に関する表現は、単一の要素を含む、それらの項目のうちの任意の組み合わせに言及する。一例として、「ａ、ｂ、またはｃの少なくとも１つ」は、ａと、ｂと、ｃと、ａおよびｂと、ａおよびｃと、ｂおよびｃと、ａ、ｂ、およびｃとを含むことが意図される。当業者には周知である、またはのちに周知となるであろう、本開示全体にわたって説明される様々な態様の要素と同等の全ての機能および構造は、参照によって本書に明確に組み込まれ、本請求項に含まれることが意図される。さらに、本書で開示されたものは、このような開示が特許請求の範囲中に明示的に列挙されるか否かにかかわらず、公に捧げられることを意図していない。特許請求の範囲の要素はいずれも、その要素が明確に「〜のための手段」という表現を使用して記載されていない限り、または、方法の請求項の場合には、その要素が「〜のためのステップ」という表現を使用して記載されていない限り、３５Ｕ．Ｓ．Ｃ．§１１２、第６段落の規定の下に解釈されるべきではない。
以下に本願の出願当初の特許請求の範囲に記載された発明を付記する。
[Ｃ１]  干渉除去のための方法であって、
送信信号を受信するために受信機を使用することと、
係数の第１のセットを使用して第１のコスト関数値を計算することと、
第１の係数制御アルゴリズムを使用して係数の第２のセットを計算することと、
係数の前記第２のセットを使用して第２のコスト関数値を計算することと、
比較結果を与えるために前記第１のコスト関数値と前記第２のコスト関数値を比較することと、
前記干渉除去のために係数の前記第１のセットを適用するか前記第２のセットを適用するかを決定するために前記比較結果を使用することと、
基準信号をフィルタ処理するために係数の前記第２のセットまたは前記第１のセットのうちの１つを適用し、前記干渉除去のために前記受信された送信信号から前記フィルタ処理された基準信号を差し引くことと、を備える、方法。
[Ｃ２]  前記第１の係数制御アルゴリズムは、以下の、電圧走査アルゴリズム、確率近似アルゴリズム、または簡略化された確率近似アルゴリズムうちの１つである、Ｃ１に記載の方法。
[Ｃ３]  所定の条件が、使用のために前記第１の係数制御アルゴリズムをイネーブルする、Ｃ１に記載の方法。
[Ｃ４]  前記所定の条件は、受信信号強度指示（ＲＳＳＩ）しきい値より大きいＲＳＳＩであり、ここにおいて前記ＲＳＳＩは、前記第１のコスト関数値に関連付けされる、Ｃ３に記載の方法。
[Ｃ５]  前記第２のコスト関数値が前記第１のコスト関数値より小さいことを前記比較結果が示す場合、前記干渉除去のために係数の前記第２のセットを適用することをさらに備える、Ｃ１に記載の方法。
[Ｃ６]  前記第２のコスト関数値が前記第１のコスト関数値より小さいことを前記比較結果が与える場合、第２の係数制御アルゴリズムを使用して係数の前記第２のセットに基づいて係数の第３のセットを計算することをさらに備える、Ｃ１に記載の方法。
[Ｃ７]  係数の前記第３のセットを使用して第３のコスト関数値を計算することと、
アップデートされた比較結果を与えるために前記第２のコスト関数値と前記第３のコスト関数値を比較することと、
前記干渉除去のために係数の前記第３のセットを適用するかどうかを決定するために前記アップデートされた比較結果を使用することと、をさらに備える、Ｃ６に記載の方法。
[Ｃ８]  前記第２の係数制御アルゴリズムは、前記第１の係数制御アルゴリズムと同じであり、ここにおいて前記第１の係数制御アルゴリズムは、以下の、電圧走査アルゴリズム、確率近似アルゴリズム、または簡略化された確率近似アルゴリズムのうちの１つである、Ｃ６に記載の方法。
[Ｃ９]  前記第２の係数制御アルゴリズムは、前記第１の係数制御アルゴリズムとは異なり、ここにおいて前記第１の係数制御アルゴリズムおよび前記第２の係数制御アルゴリズムは、以下のうちの２つである、電圧走査アルゴリズム、確率近似アルゴリズム、または簡略化された確率近似アルゴリズム、Ｃ６に記載の方法。
[Ｃ１０]  前記第２のコスト関数値を前記計算することは、係数の前記適用された第２のセットからもたらされる複数のサンプルのサンプル平均または移動平均に基づく、Ｃ１に記載の方法。
[Ｃ１１]  係数の前記第１のセットおよび係数の前記第２のセットは、同相のおよび直交のコンポーネントによって示される、Ｃ１に記載の方法。
[Ｃ１２]  前記第１のコスト関数値を前記計算することは、第１の平均平方誤差に基づき、第２のコスト関数値を前記計算することは、第２の平均平方誤差に基づく、Ｃ１に記載の方法。
[Ｃ１３]  干渉除去のための装置であって、
少なくとも１つのプロセッサと、
係数の第１のセットを記憶するためのメモリであって、前記少なくとも１つのプロセッサに結合されたメモリと、
前記少なくとも１つのプロセッサに結合された受信機であって、送信信号を受信するように構成された受信機と、
前記少なくとも１つのプロセッサに結合され、以下の、
係数の前記第１のセットを使用して第１のコスト関数値を計算することと、
第１の係数制御アルゴリズムを使用して係数の第２のセットを計算することと、
係数の前記第２のセットを使用して第２のコスト関数値を計算することと、
比較結果を与えるために前記第１のコスト関数値と前記第２のコスト関数値を比較することと、
前記干渉除去のために係数の前記第１のセットを適用するか前記第２のセットを適用するかを決定するために前記比較結果を使用することと、を行うように構成された係数コントローラと、
基準信号をフィルタ処理するために係数の前記第２のセットまたは前記第１のセットのうちの１つを適用するためのアナログ干渉除去（ＡＩＣ）回路と、
を備え、ここにおいて前記受信機は、前記干渉除去のために前記受信された送信信号から前記フィルタ処理された基準信号を差し引く、装置。
[Ｃ１４]  所定の条件が、使用のために前記第１の係数制御アルゴリズムをイネーブルし、前記所定の条件は、受信信号強度指示（ＲＳＳＩ）しきい値より大きいＲＳＳＩであり、前記ＲＳＳＩは、前記第１のコスト関数値に関連付けされる、Ｃ１３に記載の装置。
[Ｃ１５]  前記第２のコスト関数値が前記第１のコスト関数値より小さいことを前記比較結果が示す場合、前記アナログ干渉除去（ＡＩＣ）回路は、前記干渉除去のために係数の前記第２のセットを適用する、Ｃ１３に記載の装置。
[Ｃ１６]  前記係数コントローラは、前記第１のコスト関数値および前記第２のコスト関数値を計算するためのコスト関数計算モジュールと、係数の前記第２のセットを計算するための係数計算モジュールと、前記第１のコスト関数値と前記第２のコスト関数値とを比較するためのコスト関数比較モジュールと、係数の前記第２のセットを適用するか係数の前記第１のセットを適用するかを決定するために前記比較結果を使用するための係数計算アルゴリズム選択モジュールとを備える、Ｃ１３に記載の装置。
[Ｃ１７]  前記係数計算モジュールは、以下の、電圧走査アルゴリズムを行うための電圧走査モジュール、確率近似アルゴリズムを行うための確率近似モジュール、または簡略化された確率近似アルゴリズムを行うための簡略化された確率近似モジュールであるモジュールのうち少なくとも１つを備える、Ｃ１６に記載の装置。
[Ｃ１８]  前記第２のコスト関数値が前記第１のコスト関数値より小さいことを前記比較が指示する場合、前記係数計算モジュールは、第２の係数制御アルゴリズムを使用して係数の前記第２のセットに基づいて係数の第３のセットを計算する、Ｃ１６に記載の装置。
[Ｃ１９]  前記コスト関数計算モジュールは、係数の前記第３のセットを使用して第３のコスト関数値を計算し、
前記コスト関数比較モジュールは、アップデートされた比較結果を与えるために前記第２のコスト関数値と前記第３のコスト関数値を比較し、
前記係数計算アルゴリズム選択モジュールは、前記干渉除去のために係数の前記第３のセットを適用するかどうかを決定するために前記アップデートされた比較結果を使用する、Ｃ１８に記載の装置。
[Ｃ２０]  前記第２のコスト関数値は、係数の前記適用された第２のセットからもたらされた複数のサンプルのサンプル平均または移動平均に基づいて計算される、Ｃ１３に記載の装置。
[Ｃ２１]  係数の前記第１のセットおよび係数の前記第２のセットは、同相の、および直交のコンポーネントによって示される、Ｃ１３に記載の装置。
[Ｃ２２]  前記第１のコスト関数値は、第１の平均平方誤差に基づいて計算され、前記第２のコスト関数値は、第２の平均平方誤差に基づいて計算される、Ｃ１３に記載の装置。
[Ｃ２３]  干渉除去のための装置であって、
少なくとも１つのプロセッサと、
係数の第１のセットを記憶するためのメモリであって、前記少なくとも１つのプロセッサに結合されたメモリと、
前記少なくとも１つのプロセッサに結合され、送信信号を受信するための受信機と、  係数の前記第１のセットを使用して第１のコスト関数値を計算するための手段と、
第１の係数制御アルゴリズムを使用して係数の第２のセットを計算するための手段と、  係数の前記第２のセットを使用して第２のコスト関数値を計算するための手段と、
比較結果を与えるために前記第１のコスト関数値と前記第２のコスト関数値を比較するための手段と、
前記干渉除去のために係数の前記第１のセットを適用するか前記第２のセットを適用するかを決定するために前記比較結果を使用するための手段と、
基準信号をフィルタ処理するために係数の前記第２のセットまたは前記１のセットのうちの１つを適用するための手段と、
を備え、
ここにおいて前記受信機は、前記干渉除去のために前記受信された送信信号から前記フィルタ処理された基準信号を差し引く、装置。
[Ｃ２４]  所定の条件が、使用のために前記第１の係数制御アルゴリズムをイネーブルし、前記所定の条件は、受信信号強度指示（ＲＳＳＩ）しきい値より大きいＲＳＳＩであり、前記ＲＳＳＩは、前記第１のコスト関数値に関連付けされる、Ｃ２３に記載の装置。
[Ｃ２５]  前記第２のコスト関数値が前記第１のコスト関数値より小さいことを前記比較結果が示す場合、前記干渉除去のために係数の前記第２のセットを適用するための手段をさらに備える、Ｃ２３に記載の装置。
[Ｃ２６]  前記第２のコスト関数値が前記第１のコスト関数値より小さいことを前記比較結果が与える場合、第２の係数制御アルゴリズムを使用して係数の前記第２のセットに基づいて係数の第３のセットを計算するための手段と、
係数の前記第３のセットを使用して第３のコスト関数値を計算するための手段と、
アップデートされた比較結果を与えるために前記第２のコスト関数値と前記第３のコスト関数値を比較するための手段と、
前記干渉除去のために係数の前記第３のセットを適用するかどうかを決定するために前記アップデートされた比較結果を使用するための手段と、
をさらに備える、Ｃ２３に記載の装置。
[Ｃ２７]  前記第２のコスト関数値を計算するための前記手段は、係数の前記適用された第２の係数からもたらされる複数のサンプルのサンプル平均または移動平均に基づいて前記第２のコスト関数値を計算し、前記第１のコスト関数値を計算するための前記手段は、第１の平均平方誤差に基づいて前記第１のコスト関数値を計算し、前記第２のコスト関数値を前記計算することは、第２の平均平方誤差に基づく、Ｃ２３に記載の装置。
[Ｃ２８]  コンピュータ実行可能コードを記憶するコンピュータ可読記憶媒体であって、少なくとも１つのプロセッサと、係数の第１のセットを記憶するためのメモリと、前記メモリは前記少なくとも１つのプロセッサに結合される、前記少なくとも１つのプロセッサに結合された受信機と、ここにおいて前記受信機は送信信号を受信するように構成される、前記コンピュータ実行可能コードと、を備えるデバイス上で動作可能であり、前記コンピュータ実行可能コードは、
係数の前記第１のセットを使用して第１のコスト関数値を計算することを前記少なくとも１つのプロセッサにさせるための命令と、
第１の係数制御アルゴリズムを使用して係数の第２のセットを計算することを前記少なくとも１つのプロセッサにさせるための命令と、
係数の前記第２のセットを使用して第２のコスト関数値を計算することを前記少なくとも１つのプロセッサにさせるための命令と、
比較結果を与えるために前記第１のコスト関数値と前記第２のコスト関数値を比較することを前記少なくとも１つのプロセッサにさせるための命令と、
干渉除去のために係数の前記第１のセットを適用するか前記第２のセットを適用するかを決定するために前記比較結果を使用することを前記少なくとも１つのプロセッサにさせるための命令と、
基準信号をフィルタ処理するために係数の前記第２のセットまたは前記第１のセットのうちの１つを適用することを前記少なくとも１つのプロセッサにさせるための命令と、を備え、ここにおいて前記受信機は、前記干渉除去のために前記受信された送信信号から前記フィルタ処理された基準信号を差し引くようにさらに構成される、コンピュータ可読記憶媒体。
[Ｃ２９]  前記コンピュータ実行可能コードは、前記第２のコスト関数値が前記第１のコスト関数値より小さいことを前記比較結果が示す場合、前記干渉除去のために係数の前記第２のセットを適用すること、または、前記第２のコスト関数値が前記第１のコスト関数値より小さいことを前記比較結果が与える場合、第２の係数制御アルゴリズムを使用し係数の前記第２のセットに基づいて係数の第３のセットを計算すること、を前記少なくとも１つのプロセッサにさせるための命令を、さらに備える、Ｃ２８に記載のコンピュータ可読記憶媒体。
[Ｃ３０]  前記コンピュータ実行可能コードは、
係数の前記第３のセットを使用して第３のコスト関数値を計算することを前記少なくとも１つのプロセッサにさせるための命令と、
アップデートされた比較結果を与えるために前記第２のコスト関数値と前記第３のコスト関数値を比較することを前記少なくとも１つのプロセッサにさせるための命令と、
前記干渉除去のために係数の前記第３のセットを適用するかどうかを決定するために前記アップデートされた比較結果を使用することを前記少なくとも１つのプロセッサにさせるための命令と、をさらに備える、Ｃ２９に記載のコンピュータ可読記憶媒体。